(57)【特許請求の範囲】
【請求項１】
開口部が設けられた筐体と、
前記筐体に収容され、柔軟性を有した表示画面を含むフレキシブルディスプレイと、
前記フレキシブルディスプレイが平面状に取り付けられ、前記表示画面の平面度を維持した状態で前記筐体に着脱される補強部材と、
を具備し、
前記フレキシブルディスプレイは、前記補強部材によって前記筐体に固定され、前記補強部材を前記筐体から取り外すことで前記表示画面の平面度を維持した状態で前記筐体から取り外し可能であり、
前記筐体は、前記表示画面が露出する開口部が設けられた第１の壁と、この第１の壁とは反対側に位置された第２の壁とを有し、
前記補強部材は、フレーム部と、このフレーム部の間に延びた梁部とを有し、前記フレーム部と前記梁部との間に開口部が設けられ、
前記第２の壁は、該第２の壁から前記フレキシブルディスプレイに向いて突出した支持部を有し、該支持部は、前記補強部材の開口部に挿入されて前記フレキシブルディスプレイの前記フレーム部及び前記梁部を外れた領域を支持する電子機器。
【請求項２】
請求項１の記載において、
前記フレキシブルディスプレイは、前記表示画面を含む第１面と、この第１面とは反対側に位置された第２面とを有し、
前記補強部材は、前記第２面に沿う板状である電子機器。
【請求項３】
請求項１または請求項２の記載において、
前記補強部材の外形は、前記フレキシブルディスプレイの外形よりも内側に位置した部分を含む電子機器。
【請求項４】
請求項１または請求項３の記載において、
前記第２の壁は、前記補強部材に対応した溝が設けられ、前記補強部材は、前記溝に取り付けられた電子機器。
【請求項５】
請求項４の記載において、
前記溝の深さは、前記補強部材の厚さと略同じであり、前記補強部材は、前記溝に収容された電子機器。
【請求項６】
請求項４または請求項５の記載において、
前記補強部材は、前記溝に取り付けられることで位置決めされた電子機器。
【請求項７】
請求項１または請求項４の記載において、
前記梁部は、前記フレキシブルパネルの中央部を支持した電子機器。
【請求項８】
開口部が設けられた筐体と、
前記筐体に収容され、柔軟性を有した表示画面を含むフレキシブルディスプレイと、
前記フレキシブルディスプレイが平面状に取り付けられ、前記表示画面の平面度を維持した状態で前記筐体に着脱される補強部材と、
を具備し、
前記フレキシブルディスプレイは、前記補強部材によって前記筐体に固定され、前記補強部材を前記筐体から取り外すことで前記表示画面の平面度を維持した状態で前記筐体から取り外し可能であり、
前記筐体は、前記表示画面が露出する開口部が設けられた第１の壁と、この第１の壁とは反対側に位置された第２の壁とを有し、
前記補強部材は、フレーム部と、このフレーム部の間に延びた梁部とを有し、前記フレーム部と前記梁部との間に開口部が設けられ、
前記第２の壁は、前記フレーム部及び前記梁部に対応した溝が設けられ、前記補強部材は、前記溝に取り付けられた電子機器。
【請求項９】
開口部が設けられた第１の壁と、この第１の壁とは反対側に位置された第２の壁とを有した筐体と、
前記筐体に収容されたフレキシブルディスプレイと、
フレーム部と、このフレーム部の間に延びた梁部とを有し、前記フレーム部と前記梁部との間に開口部が設けられ、前記フレキシブルディスプレイを支持した補強部材と、
を具備し、
前記第２の壁は、前記フレーム部及び前記梁部に対応した溝が設けられ、前記補強部材は、前記溝に取り付けられた電子機器。
【請求項１０】
請求項９の記載において、
前記溝の深さは、前記補強部材の厚さと略同じであり、前記補強部材は、前記溝に収容された電子機器。
【請求項１１】
請求項９または請求項１０の記載において、
前記補強部材は、前記溝に取り付けられることで位置決めされた電子機器。
【請求項１２】
請求項９または請求項１１の記載において、
前記第２の壁は、前記補強部材の開口部に挿入されて前記フレキシブルディスプレイを支持した支持部を有した電子機器。
【発明の詳細な説明】
【技術分野】
【０００１】
本発明の実施形態は、テレビジョン受像機及び電子機器に関する。
【背景技術】
【０００２】
いくつかの電子機器は、筐体と、液晶パネルと、バックライトとを備える。
【先行技術文献】
【特許文献】
【０００３】
【特許文献１】特開２００９−１３３９３６号公報
【発明の概要】
【発明が解決しようとする課題】
【０００４】
近年の電子機器の軽量化、薄型化に伴い、電子機器向けディスプレイも、さらなる軽量化及び薄型化が求められている。そこで本出願人は、現在の液晶ディスプレイよりも、さらに軽くて薄い次世代ディスプレイの開発を行っている。
【０００５】
本発明の目的は、薄型化を図ることができる電子機器及びテレビジョン受像機を提供することである。
【課題を解決するための手段】
【０００６】
実施形態によれば、電子機器は、開口部が設けられた筐体と、前記筐体に収容され、柔軟性を有した表示画面を含むフレキシブルディスプレイと、前記フレキシブルディスプレイが平面状に取り付けられ、前記表示画面の平面度を維持した状態で前記筐体に着脱される補強部材とを具備する。前記フレキシブルディスプレイは、前記補強部材によって前記筐体に固定され、前記補強部材を前記筐体から取り外すことで前記表示画面の平面度を維持した状態で前記筐体から取り外し可能である。前記筐体は、前記表示画面が露出する開口部が設けられた第１の壁と、この第１の壁とは反対側に位置された第２の壁とを有する。前記補強部材は、フレーム部と、このフレーム部の間に延びた梁部とを有し、前記フレーム部と前記梁部との間に開口部が設けられている。前記第２の壁は、該第２の壁から前記フレキシブルディスプレイに向いて突出した支持部を有する。該支持部は、前記補強部材の開口部に挿入されて前記フレキシブルディスプレイの前記フレーム部及び前記梁部を外れた領域を支持する。
【図面の簡単な説明】
【０００７】
【図１】第１の実施形態に係る電子機器の斜視図。
【図２】図１中に示された電子機器の表示ユニットを分解して示す斜視図。
【図３】図１中に示された電子機器の表示ユニットの内部を模式的に断面図。
【図４】図３中に示された表示モジュールの構成を模式的に示す断面図。
【図５】第２の実施形態に係る電子機器の表示ユニットを分解して示す斜視図。
【図６】図５中に示された表示モジュールとバックプレートの組立を示す斜視図。
【図７】図５中に示された部品とマスク及びカバーとの組立を示す斜視図。
【図８】第２の実施形態に係る電子機器の表示ユニットを示す斜視図。
【図９】図５中に示されたバックプレートの平面図。
【図１０】図５中に示されたカバーを模式的に示す図であり、図１０（ａ）は、平面図、図１０（ｂ）は、Ｆ１０−Ｆ１０線に沿う断面図。
【図１１】図５中に示されたバックプレートの固定方法の第１の例を示す平面図。
【図１２】図５中に示されたバックプレートの固定方法の第２の例を示す平面図。
【図１３】図５中に示されたバックプレートの固定方法の第３の例を示す平面図。
【図１４】図５中に示されたバックプレートの固定方法の第４の例を示す図であり、図１４（ａ）は、平面図、図１４（ｂ）は、Ｆ１４−Ｆ１４線に沿う断面図。
【図１５】第２の実施形態に係る表示ユニットの一部の構成を模式的に示す図であり、図１５（ａ）は、平面図、図１５（ｂ）は、Ｆ１５ｂ−Ｆ１５ｂ線に沿う断面図、図１５（ｃ）は、Ｆ１５ｃ−Ｆ１５ｃに沿う断面図。
【図１６】第２の実施形態に関連した表示ユニットの一部の構成を模式的に示す図であり、図１６（ａ）は、平面図、図１６（ｂ）は、Ｆ１６ｂ−Ｆ１６ｂ線に沿う断面図、図１６（ｃ）は、Ｆ１６ｃ−Ｆ１６ｃ線に沿う断面図。
【図１７】図５中に示されたバックプレートの一つの変形例の平面図。
【図１８】第３の実施形態に係る電子機器の表示ユニットを分解して示す斜視図。
【図１９】第４の実施形態に係る電子機器の表示ユニットを分解して示す斜視図。
【図２０】第５の実施形態に係る電子機器の表示ユニットを分解して示す斜視図。
【図２１】第６の実施形態に係る電子機器の平面図。
【図２２】図２１中に示された電子機器の一部を分解して示す斜視図。
【図２３】図２１中に示された電子機器の断面図。
【図２４】第７の実施形態に係る電子機器の斜視図。
【図２５】図２４中に示された電子機器の別の状態の斜視図。
【図２６】図２４中に示された電子機器の断面図。
【図２７】図２４中に示された電子機器の一部の構成を示す断面図。
【図２８】第８の実施形態に係る電子機器の斜視図。
【図２９】第９の実施形態に係る電子機器の表示ユニットの断面図。
【図３０】図２９中に示された表示ユニットを分解して示す断面図。
【図３１】第１０の実施形態に係る電子機器の一部を模式的に示す断面図。
【図３２】第１１の実施形態に係るテレビジョン受像機の正面図。
【発明を実施するための形態】
【０００８】
以下、実施の形態について、図面を参照して説明する。
【０００９】
（第１の実施形態）  
図１乃至図４は、第１の実施形態に係る電子機器１を開示している。電子機器１は、例えばノートブック型ポータブルコンピュータ（ノートＰＣ）である。図１に示すように、電子機器１は、第１のユニット２と、第２のユニット３と、ヒンジ部４ａ，４ｂとを有する。
【００１０】
第１のユニット２は、例えば回路基板５が搭載された本体ユニットである。回路基板５の一例は、例えばＣＰＵが実装されたメインボードである。第１のユニット２は、第１の筐体６を備えている。第１の筐体６は、上壁７、下壁８、及び周壁９を有し、扁平な箱状に形成されている。なお本明細書では、ユーザーから見て、上下左右を定義している。また、ユーザーに近い方を「前」、ユーザーから遠い方を「後」と定義している。
【００１１】
下壁８は、電子機器１を机の上に置いた時、その机上面Ｓに向かい合う。下壁８には、例えば机上面Ｓに接する複数の脚部１０が設けられている。上壁７は、下壁８との間に空間を空けて、下壁８と略平行に広がる。
【００１２】
上壁７には、入力部１１（入力受付部）が設けられている。入力部１１の一例は、キーボードである。なお入力部１１は、上記に限定されるものではなく、タッチパネル（タッチセンサー）やその他の入力装置であってもよい。周壁９は、下壁８及び上壁７と交差する方向に延び、下壁８の周縁部と上壁７の周縁部との間を繋いでいる。
【００１３】
第２のユニット３は、例えば表示ユニットであり、第２の筐体２１と、この第２の筐体２１に収容されたフレキシブルディスプレイ２２とを備えている。フレキシブルディスプレイ２２は、「表示モジュール」の一例である。
【００１４】
フレキシブルディスプレイ２２は、表示画面２７を有する。表示画面２７には、例えば回路基板５に実装されたＣＰＵの制御に従って画像が表示される。なお本明細書において「画像」とは、例えば文字、記号、数字、文章、イメージ、動画、及びウェブページのような、画面に映る種々の情報を含むものと定義され、イラストや写真のようなイメージに限定されない。なお、フレキシブルディスプレイ２２の詳細については後述する。
【００１５】
第２の筐体２１は、前壁２３、背壁２４（後壁）、及び周壁２５を有し、扁平な箱状に形成されている。前壁２３は、「第１の壁」の一例である。前壁２３は、表示画面２７と略平行に広がる。前壁２３は、表示画面２７が露出される開口部２６が設けられている。なお、本明細書で「露出する」とは、表示画面が、例えば開口部に隣接し、開口部から直接に露出される場合に加え、開口部との間に例えばタッチセンサーのような透明部材（または半透明部材）が設けられ、この透明部材（または半透明部材）を通して外部に露出される場合も含む。すなわち、外部から視認可能な状態であれば、本明細書でいう「露出する」に該当する。
【００１６】
背壁２４は、「第２の壁」の一例である。背壁２４は、前壁２３とは反対側に位置されている。背壁２４は、前壁２３との間に空間を空けて、前壁２３と略平行に広がる。周壁２５は、前壁２３及び背壁２４と交差する方向に延び、前壁２３の周縁部と背壁２４の周縁部との間を繋いでいる。
【００１７】
第２の筐体２１は、ヒンジ部４ａ，４ｂによって、第１の筐体６に回動可能（開閉可能）に連結されている。これにより第１のユニット２と第２のユニット３とが重ねられる第１の位置と、第１のユニット２と第２のユニット３とが開かれる第２の位置との間で、電子機器１は開かれたり閉じられたりすることができる。上記第２の位置では、第１のユニット２の入力部１１と、第２のユニット３の表示画面２７とが電子機器１の外部に露出される。
【００１８】
次に、フレキシブルディスプレイ２２とその実装構造について詳しく述べる。  
図２及び図３に示すように、第２の筐体２１（以下、単に筐体２１）は、マスク２８（ＬＣＤマスク）と、カバー２９（ＬＣＤカバー）とに大きく分かれている。マスク２８は、「第１の部材」の一例であり、前壁２３を含む。カバー２９は、「第２の部材」の一例であり、背壁２４と周壁２５とを含む。なお周壁２５の一部は、マスク２８に設けられてもよい。マスク２８とカバー２９とが合わされることで、筐体２１が構成されている。なお、マスク２８及びカバー２９は、金属製でも良く、プラスチック製でも良い。
【００１９】
カバー２９は、例えば遮光性（遮光機能）を有し、外部からの光の透過を抑制可能に構成されている。すなわち、カバー２９は、例えば所定の厚さ、所定の材料、または所定の色などを有することで、筐体２１の外部からの光が筐体２１の内部に入りにくいように、または入らないように構成されている。光の透過を抑制可能にする構造は、種々のものが適用可能であるが、例えば、カバー２９を透明または半透明でない材料で（すなわち光を通さない材料）で形成することが考えられる。なお、マスク２８も、例えばカバー２９と同様に、遮光機能を有し、外部からの光の透過を抑制可能に構成されている。
【００２０】
図２乃至図４は、フレキシブルディスプレイ２２の一例を模式的に示す。フレキシブルディスプレイ２２は、シートディスプレイとも呼ばれ、軽量で例えば紙のように薄いとともに、柔軟性（可撓性）を有し、例えば曲げたり、丸めたりすることができる。
【００２１】
ここで、このようなフレキシブルディスプレイを開発するためには、一般的な液晶ディスプレイの基板材料をガラスからプラスチックに単に置き換えるだけでは不可能であり、種々の技術的な課題を解決する必要がある。
【００２２】
その具体的な技術的課題についていくつか述べると、例えば、（１）薄膜トランジスタ（ＴＦＴ）の形成温度を下げる必要がある。すなわち、プラスチック基板は、ガラス基板に比べて熱に弱く、耐熱性が低い。耐熱性に関しては、比較的耐熱性に優れたポリイミド（ＰＩ）で３５０℃以下、ポリエチレンテレフタレート（ＰＥＴ）では１５０℃以下である。これら温度を超えた高温でＴＦＴを形成すると、例えば基板に反りが生じたり、液晶と駆動回路の特性が変化してしまい、画面にムラが生じる可能性がある。そのためプラスチック基板に対しては、ＴＦＴを低温で形成しなければならない。
【００２３】
しかしながら、ＴＦＴ材料である低温ポリシリコンの形成温度は、約６００℃以下、アモルファスシリコンの形成温度は、約３５０℃以下である。これら材料によるＴＦＴを、プラスチック基板が許容する低温プロセスで形成することは容易ではない。
【００２４】
また、一般的に温度を下げるほど、結晶性が下がり、電子の移動度が低くなり、高精細な映像が実現できなくなるという課題がある。高精細な画像が実現できる、電子の移動度が高い多結晶シリコンでは、ＴＦＴの形成温度が高いという問題があり、低温形成が可能なアモルファスシリコンでは、電子の移動度が低いという問題がある。
【００２５】
さらに、（２）プラスチック基板は、柔軟性を有し、機械的な形状安定性がよくない。またプラスチック基板は、熱膨張係数や吸水率などに起因する寸法安定性や、耐溶剤性に課題を有するものも多い。このようなプラスチック基板の上に、ＴＦＴを形成することは容易でない。
【００２６】
さらに、（３）パネルが折り曲げられることによって、２枚のプラスチック基板の間に挟まれた液晶が、引っ張り力または圧縮力を受けて厚みを一定に保てなくなる。液晶の厚みが不安定になると、液晶分子の配列不良やその他の不具合が生じる可能性がある。
【００２７】
しかしながら、本出願人は、種々の研究を実施し、以下に示すフレキシブルディスプレイ２２の開発を行なっている。以下、そのフレキシブルディスプレイ２２について詳しく説明する。
【００２８】
図４に示すように、フレキシブルディスプレイ２２は、フレキシブルパネル３１と、フレキシブルバックライト３２とを有する。フレキシブルパネル３１は、「パネル部」の一例であるとともに、「表示部」の一例である。フレキシブルパネル３１は、第１の偏光板３３、第１のプラスチック基板３４、液晶層３５、第２のプラスチック基板３６、及び第２の偏光板３７を備えている。
【００２９】
第１のプラスチック基板３４は、「第１のフレキシブル基板」の一例であるとともに、「第１のプラスチックフィルム」の一例である。第１のプラスチック基板３４は、いわゆるカラーフィルタ基板であり、例えば赤色（Ｒ）、緑色（Ｇ）、青色（Ｂ）の光を透過させるマイクロカラーフィルター４１や、ブラック・マトリックス４２が設けられている。マイクロカラーフィルター４１は、肉眼で識別できない微細な３原色画素を混色するフィルターである。また、第１のプラスチック基板３４には、透明電極４３及び配向膜４４が設けられている。
【００３０】
第２のプラスチック基板３６は、「第２のフレキシブル基板」の一例であるとともに、「第２のプラスチックフィルム」の一例である。第２のプラスチック基板３６は、いわゆるアレイ基板であり、画素を駆動する駆動素子（アクティブ素子）としてのＴＦＴ４５と、透明電極４６（画素電極）と、配向膜４７とが設けられている。
【００３１】
本実施形態に係る第２のプラスチック基板３６は、ＴＦＴ４５して酸化物半導体ＴＦＴを備えている。酸化物半導体ＴＦＴは、比較的低温（例えば室温）で形成することができるとともに、素子の伝導路が球状の電子軌道から構成されているため、アモルファス状態ではシリコン半導体に比べて、移動度が約１０倍高いという特長を有する。酸化物半導体ＴＦＴの一例は、チャネル材料にアモルファスＩＧＺＯ(In-Ga-Zn-O)を用いたものである。なお、酸化物半導体ＴＦＴの材料は、これに限定されるものではなく、例えば多結晶ＺｎＯを用いたものやその他のものであってもよい。
【００３２】
一方で、酸化物半導体ＴＦＴは、アモルファスシリコンと同様に、駆動により閾値電圧が変動するため、駆動信頼性を高めることが課題となる。
【００３３】
この課題を解決するために、本出願人は、酸化物半導体ＴＦＴの駆動信頼性と膜中の水素の動きに相関関係があることを見出した。これにより、酸化物半導体の成膜条件及びアニール温度を最適化するとともに、絶縁膜中の水素濃度を制御することで、酸化物半導体ＴＦＴを高い信頼性のもとで形成することが可能になった。このような方法で作製されたＴＦＴの駆動信頼性は、本出願人によるＢＴＳ(Bias Temperature Stress)試験の結果、アモルファスシリコンの約１００倍で、高性能な多結晶シリコンとほぼ同等の信頼性が得られることが確認されている。
【００３４】
上述した第１及び第２のプラスチック基板３４，３６の材料としては、例えば、耐熱温度に優れたポリエーテルスルフォン（ＰＥＳ）や、熱膨張係数と吸水率が小さいポリエチレンナフタレート（ＰＥＮ）やポリエチレンテレフタレート（ＰＥＴ）、またはポリカーボネート（ＰＣ）やポリイミド（ＰＩ）などが挙げられる。なお、第１及び第２のプラスチック基板３４，３６は、これら材料に限定されるものではなく、種々の材料が適宜適用可能である。フレキシブルパネル３１は、第１及び第２のプラスチック基板３４，３６を備えることで、樹脂材料を含む。
【００３５】
第１及び第２のプラスチック基板３４，３６は、柔軟性（可撓性）を有する。一般的な液晶ディスプレイのガラス基板の厚さは、例えば数百μｍである。これに対し、第１及び第２のプラスチック基板３４，３６の厚さは、それぞれ例えば数十μｍ〜１００μｍである。
【００３６】
図４に示すように、液晶層３５は、第１及び第２のプラスチック基板３４，３６の間に位置されている。液晶層３５は、電圧可変の光学材料である液晶分子を含む。これら液晶分子の配列は、第１及び第２のプラスチック基板３４，３６に塗布された配向膜４４，４７によって制御されている。液晶層３５に電圧が印加されると、液晶分子の配列が変わり屈折率が変化する。
【００３７】
第１及び第２のプラスチック基板３４，３６との間には、スペーサ４８が設けられている。スペーサ４８は、第１及び第２のプラスチック基板３６の間の隙間、すなわち液晶層３５の厚みを一定に保つ。
【００３８】
スペーサ４８の一例は、例えば光加工技術（フォトリソグラフィー）で作成された柱状スペーサまたは球状スペーサである。これらスペーサは、例えば第１及び第２のプラスチック基板３４，３６のいずれか一方に固定されている。
【００３９】
ここで、フレキシブルディスプレイ２２は、一般的な液晶ディスプレイと異なり、曲げられる可能性がある。フレキシブルディスプレイ２２が曲げられた場合、その曲げられた中心部分では、２枚のプラスチック基板３４，３６の間隔を狭める力が作用し、周縁部では、２枚のプラスチック基板３４，３６の間隔を拡張する力が作用する。このような場合、上述のような第１及び第２のプラスチック基板３４，３６のいずれか一方に固定されたスペーサでは、拡張方向の力が作用する領域で、２枚のプラスチック基板３４，３６の間隔を維持することが難しい。
【００４０】
そこで本実施例では、フレキシブルディスプレイ２２に適したスペーサ４８（接着スペーサ）を用いる。本実施形態のスペーサ４８の一例は、第１及び第２のプラスチック基板３４，３６の両方に固定されている。これにより、フレキシブルディスプレイ２２が曲げられた時でも、スペーサ４８は、２枚のプラスチック基板３４，３６の間隔を維持し、液晶層３５の厚みを一定に保つ。このため、液晶分子の配列不良などの不具合が抑制される。
【００４１】
なお、スペーサ４８を２枚のプラスチック基板３４，３６の両方に接続する方法として、例えば、熱軟化性のポリマーの構造物を一方の基板に形成した後、他方の基板に熱圧着する方法がある。また他の方法として、フォトリソグラフィーや高精細印刷法であるナノインプリント法で作製されたスペーサの端部を、光硬化性の接着剤で基板にはり付けてもよい。
【００４２】
図３及び図４に示すように、第１のプラスチック基板３４には、第１の偏光板３３（第１の偏光フィルタ）が重ねられている。第１の偏光板３３は、筐体２１の開口部２６に向かい合い、開口部２６から筐体２１の外部に露出されている。第２のプラスチック基板３６には、第２の偏光板３７（第２の偏光フィルタ）が重ねられている。
【００４３】
図３及び図４に示すように、フレキシブルバックライト３２は、拡散板５１、導光板５２、及びＬＥＤ５３を備えている。導光板５２は、「導光部」の一例であり、ＬＥＤ５３からの光をフレキシブルパネル３１に向けて放出する。導光板５２は、フレキシブルパネル３１と、筐体２１の背壁２４との間に位置されている。導光板５２の一例は、薄型プラスチック導光板である。この薄型プラスチック導光板は、薄いプラスチックフィルムで、その中にＬＥＤ光を通し、前面に光を散乱させて表示光Ｌを放出する。ＬＥＤ５３は、光源の一例であり、例えば導光板５２の側方に配置されている。
【００４４】
拡散板５１は、フレキシブルパネル３１と導光板５２との間に位置され、導光板５２に重ねられている。換言すれば、フレキシブルパネル３１に拡散板５１が重ねられ、さらに拡散板５１に導光板５２が重ねられている。拡散板５１は、「光を拡散させる部材」の一例である。拡散板５１は、導光板５２からの表示光Ｌを拡散させ、より均一な面光源とする。なお、「光を拡散させる部材」は、光拡散フィルムでもよい。また、例えば偏光シートなど別の部材で十分な光拡散機能を得ることができる場合は、拡散板５１は省略可能である。
【００４５】
図３に示すように、フレキシブルパネル３１は、筐体２１の前壁２３と背壁２４との間に位置されている。フレキシブルバックライト３２は、フレキシブルパネル３１と、筐体２１の背壁２４との間に位置されている。フレキシブルバックライト３２は、フレキシブルパネル３１に向けて表示光Ｌを照射する。
【００４６】
図３に示すように、フレキシブルバックライト３２と筐体２１の背壁２４との間には、遮光部材５５が設けられている。遮光部材５５は、例えば板状（シート状）に形成されている。遮光部材５５は、フレキシブルディスプレイ２２の外形と略同じ、またはそれよりも一回り大きく、フレキシブルディスプレイ２２の背後を覆っている。遮光部材５５は、背壁２４側からユーザー側に向かう光を遮る。
【００４７】
このような構成によれば、電子機器の薄型化を図ることができる。すなわち、本実施形態に係る電子機器１は、フレキシブルディスプレイ２２を備える。このフレキシブルディスプレイ２２は、例えば一般の液晶ディスプレイに比べて薄いため、例えば背後が透けて見えるものがある。すなわち、フレキシブルディスプレイ２２は、例えば背面側から前面側に光を透過させるものがある。このため、例えばある程度光を通す材料で背壁２４が形成されていると、その光がフレキシブルディスプレイ２２を透過し、表示画面２７にムラなどの不具合を与える可能性がある。
【００４８】
一方で、本実施形態では、フレキシブルディスプレイ２２が収容される筐体２１が遮光機能を有する。このため、筐体２１の外部からフレキシブルディスプレイ２２の背後に光が入りにくく、表示画面２７のムラなどの不具合を抑制することができる。このため、画面の見やすさの向上を図ることができる。つまり、このような構成によれば、フレキシブルディスプレイ２２を採用することで生じる可能性がある新たな課題が解決可能になり、フレキシブルディスプレイ２２に好適な実装構造を提供することができる。これにより、フレキシブルディスプレイ２２を搭載し、電子機器１の薄型化を図ることができる。
【００４９】
さらに本実施形態では、このフレキシブルディスプレイ２２と筐体２１の背壁２４との間にさらに遮光部材５５を備えている。このような遮光部材５５が設けられていると、フレキシブルディスプレイ２２の背面側から前面側に光が透過することを、さらに抑制することができる。このため、画面の見やすさの向上をさらに図ることができる。
【００５０】
（第２の実施形態）  
次に、第２の実施形態に係る電子機器１について、図５乃至図１７を参照して説明する。なお上記第１の実施形態の構成と同一または類似の機能を有する構成は、同一の符号を付してその説明を省略する。また、下記に説明する以外の構成は、上記第１の実施形態と同じである。
【００５１】
図５に示すように、本実施形態に係る電子機器１は、バックプレート６１を備える。バックプレート６１は、「補強部材」の一例である。バックプレート６１は、フレキシブルディスプレイ２２と筐体２１の背壁２４との間に位置されている。
【００５２】
フレキシブルパネル３１と、フレキシブルバックライト３２とは、例えば両面テープや接着剤、またはその他の方法で互いに固定され、フレキシブルディスプレイ２２として一体になっている。フレキシブルディスプレイ２２は、筐体２１の開口部２６から露出され、表示画面２７を含む第１の面２２ａと、この反対側に位置された第２の面２２ｂとを有する。
【００５３】
バックプレート６１は、例えば両面テープや接着剤、またはその他の方法で、フレキシブルディスプレイ２２の第２の面２２ｂに取り付けられ、フレキシブルディスプレイ２２を支持している。すなわち、バックプレート６１は、フレキシブルパネル３１及びフレキシブルバックライト３２を支持している。なお、本明細書で「支持する」とは、対象部材に直接的に取り付けられ、対象部材を直接的に支持する場合に加えて、対象部材との間に別部材が存在し、その別部材を介して対象部材を間接的に支持する場合も含む。
【００５４】
バックプレート６１は、例えば金属製またはプラスチック製である。バックプレート６１は、フレキシブルディスプレイ２２よりも強度が大きい。バックプレート６１が取り付けられることで、フレキシブルディスプレイ２２が補強される。
【００５５】
またバックプレート６１は、フレキシブルディスプレイ２２よりも剛性が大きく、簡単に撓みにくい。バックプレート６１が取り付けられることで、フレキシブルディスプレイ２２は単体の場合に比べて撓みにくくなる。
【００５６】
図５及び図９に示すように、バックプレート６１の一例は、フレーム部６２（第１の部分）と、梁部６３（第２の部分）とを有する。なお、説明の便宜上、いくつかの図では、バックプレート６１にハッチングを施している。フレーム部６２は、例えば４つの辺部６４を有した矩形枠状に形成されている。フレーム部６２は、フレキシブルディスプレイ２２の周縁部６５に対応し、フレキシブルディスプレイ２２の周縁部６５に取り付けられる。これにより、フレーム部６２は、フレキシブルディスプレイ２２の周縁部６５を支持する。
【００５７】
梁部６３は、フレーム部６２の２つの長辺の辺部６４の間に延びている。梁部６３は、フレキシブルディスプレイ２２の中央部６６に対応し、フレキシブルディスプレイ２２の中央部６６に取り付けられる。これにより、梁部６３は、フレキシブルディスプレイ２２の中央部６６を支持する。
【００５８】
バックプレート６１は、フレーム部６２及び梁部６３を外れた領域に、開口領域６７を有する。開口領域６７は、フレーム部６２の内側に設けられた開口部６８と、フレーム部６２の外側に設けられた切欠き部６９とを含む。開口部６８及び切欠き部６９は、それぞれフレーム部６２と梁部６３とによって規定されている。例えば開口部６８は、フレーム部６２と梁部６３との間に設けられている。このような開口領域６７が設けられることで、バックプレート６１は、軽量化が図られている。
【００５９】
図５及び図１０に示すように、筐体２１の背壁２４は、段差構造７１を有する。段差構造７１は、複数の溝７２と、この溝７２を外れて設けられた支持部７３とを有する。溝７２は、バックプレート６１の形状に対応して設けられている。すなわち、溝７２は、フレーム部６２及び梁部６３に対応した位置に設けられている。溝７２の深さは、バックプレート６１の厚さと略同じである。このため、溝７２に取り付けられたバックプレート６１は、その溝７２に収容される。
【００６０】
図５及び図１５に示すように、バックプレート６１は、溝７２に取り付けられる。バックプレート６１は、溝７２に取り付けられることで位置決めされる。バックプレート６１が背壁２４に固定されることで、筐体２１が補強される。バックプレート６１の固定は、種々の方法で可能である。例えば、図１１に示すように、溝７２の底面に両面テープ７５または接着剤７５を設け、それらを介してバックプレート６１を取り付けてもよい。また、図１２に示すように、溝７２に例えばねじ穴のような係合部７６を設け、そのねじ穴にバックプレート６１をねじ止めしてもよい。また、溝７２に例えば突起または穴のような係合部７６を設け、その係合部７６にバックプレート６１を例えば圧着など係合固定してもよい。
【００６１】
また、図１３に示すように、溝７２にバックプレート６１を嵌め込むことで、バックプレート６１を嵌合固定してもよい。また、図１４に示すように、背壁２４に例えばツメのような係合部７７を設け、その係合部７７でバックプレート６１を係合固定してもよい。図１４に示すように、バックプレート６１の一例は、一方の係合部７７とカバー２９との間に差し込まれ、他方の係合部７７に押し込むことで固定される。
【００６２】
図１０及び図１５に示すように、支持部７３は、溝７２と溝７２との間に設けられ、平面状に形成されている。支持部７３は、溝７２よりも、フレキシブルディスプレイ２２側に位置されている。
【００６３】
図１５に示すように、フレキシブルディスプレイ２２は、第１の領域８１（第１の部分）と、第２の領域８２（第２の部分）とを有する。第１の領域８１は、フレーム部６２及び梁部６３に向かい合い、フレーム部６２及び梁部６３に支持されている。第２の領域８２は、開口領域６７に向かい合い、フレーム部６２及び梁部６３から外れている。
【００６４】
支持部７３は、バックプレート６１の開口領域６７に通され、開口領域６７に位置されている。支持部７３は、フレキシブルディスプレイ２２の第２の領域８２に向かい合い、第２の領域８２を支持する。
【００６５】
図１５に示すように、バックプレート６１は、フレキシブルディスプレイ２２を支持した第１の面６１ａと、この第１の面６１ａとは反対側に位置され、溝７２に向かい合う第２の面６１ｂとを有する。支持部７３の表面７３ａは、バックプレート６１の第１の面６１ａと略同一平面上に位置される。支持部７３の表面７３ａは、バックプレート６１の第１の面６１ａと協働して、フレキシブルディスプレイ２２の略全面に向かい合う一つの大きな平面部８４を形成する。フレキシブルパネル３１は、この平面部８４によって支持され、平面状に保持される。
【００６６】
次に、電子機器１の組立方法について説明する。  
図６に示すように、まず、フレキシブルディスプレイ２２とバックプレート６１とを、例えば両面テープや接着剤などで固定する。これにより、フレキシブルディスプレイ２２とバックプレート６１とが一体になる。
【００６７】
次に、図７に示すように、フレキシブルディスプレイ２２が一体になったバックプレート６１を、筐体２１の溝７２に上述の方法などで固定する。これにより、フレキシブルディスプレイが、バックプレート６１を介して筐体２１に固定される。すなわち、バックプレート６１が筐体２１に取り付けられることで、フレキシブルディスプレイ２２が筐体２１に支持される。次に、図８に示すように、マスク２８とカバー２９とを合わせる。これにより、表示ユニット３が組みあがる。
【００６８】
次に、筐体２１の段差構造７１の作用について説明する。  
ここで比較のため、段差構造７１を有しないカバー８９を図１６に示す。段差構造７１を有しないカバー８９では、図１６に示すように、フレキシブルディスプレイ２２と背壁２４との間に隙間がある。このため、バックプレート６１に支持されていないフレキシブルディスプレイ２２の一部が、背壁２４側に撓む可能性がある。このため、フレキシブルディスプレイ２２の表面が撓み、液晶表示が歪曲したり、色のにじみが生じる可能性がある。また、バックプレート６１を設けた分だけ、表示ユニット３が厚くなる。
【００６９】
一方で、段差構造７１を有したカバー２９を図１５に示す。段差構造７１を有したカバー２９では、図１５に示すように、フレキシブルディスプレイ２２と背壁２４との間に実質的な隙間がない。バックプレート６１に支持されていないフレキシブルディスプレイ２２の一部は、カバー２９の支持部７３によって支持される。このため、フレキシブルディスプレイ２２が撓みにくく、フレキシブルディスプレイ２２の平面度が向上する。また、バックプレート６１の厚みが溝７２によって吸収されるため、表示ユニット３が厚くなりにくい。
【００７０】
このような構成によれば、フレキシブルディスプレイ２２に好適な実装構造を提供することができる。これにより、フレキシブルディスプレイ２２を搭載し、電子機器１の薄型化を図ることができる。さらに本実施形態の構成によれば、フレキシブルディスプレイ２２の平面度が向上するので、画面の見やすさが向上するとともに、電子機器１の組立性及び保守性の向上を図ることができる。
【００７１】
ここで比較のため、フレキシブルディスプレイ２２を両面テープや接着剤で筐体に直接固定する方法を考える。この方法によれば、フレキシブルディスプレイ２２を、薄く軽く実装することができる。
【００７２】
しかしながら、フレキシブルディスプレイ２２は、従来のディスプレイと異なり、柔軟で撓みやすいという特性を有する。このような特性を有したフレキシブルディスプレイ２２は、両面テープや接着剤で筐体に直接貼り付けられた場合、取り外しに繊細な作業が必要となる。そのため、組立時に位置がすれるなど失敗が生じると、その回復が容易でない。また修理時においても、フレキシブルディスプレイ２２を筐体２１から剥がす作業が容易でない。このため、組立性及び保守性が良好とは言えない。
【００７３】
一方で、本実施形態では、電子機器１は、フレキシブルディスプレイ２２を支持したバックプレート６１を備えている。このため、フレキシブルディスプレイ２２は、バックプレート６１に支持された状態で、筐体２１に取り付けられる。すなわち、フレキシブルディスプレイ２２は、ある程度撓みにくくなった状態で、筐体２１に取り付けられる。このため、フレキシブルディスプレイ２２が単体で筐体に直接貼り付けられる場合に比べて、フレキシブルディスプレイ２２を筐体２１から取り外しやすくなる。このため、電子機器１の組立性や保守性が向上する。
【００７４】
さらに本実施形態では、フレキシブルディスプレイ２２を支持したバックプレート６１が筐体２１に取り付けられ、フレキシブルディスプレイ２２自体は、筐体２１に直接固定されない。このため、ある程度の剛性を有したバックプレート６１を筐体２１に取り付け／取り外す作業を通じて、フレキシブルディスプレイ２２の固定や保守を行うことができる。このような構成によれば、電子機器１の組立性や保守性がさらに向上する。
【００７５】
また、バックプレート６１が設けられることで、筐体２１との固定方法は、両面テープや接着剤以外にも、ねじや嵌め込みといった手法が適用可能になる。このため、組立性や保守性がさらに向上する。また、バックプレート６１が設けられることで、筐体２１全体の強度も向上する。
【００７６】
また、薄く柔軟性のあるフレキシブルディスプレイ２２に通常の固定方法を適用すると、取付時に、フレキシブルディスプレイ２２の表面が撓んでしまう可能性がある。フレキシブルディスプレイ２２の表面が撓んでしまうと、液晶表示が歪曲したり、色のにじみが生じる可能性がある。
【００７７】
本実施形態では、フレキシブルディスプレイ２２がバックプレート６１に支持された状態で、筐体２１に取り付けられる。すなわち、フレキシブルディスプレイ２２は、バックプレート６１の上に張られ、撓みにくい状態で筐体２１に取り付けられる。これにより、フレキシブルディスプレイ２２の平面度を向上させることができ、画像の不具合を抑制することができる。
【００７８】
本実施形態では、バックプレート６１は、フレキシブルディスプレイ２２の中央部を支持した梁部６３を有する。このような梁部６３によってフレキシブルディスプレイ２２の中央部が支持されると、フレキシブルディスプレイ２２がさらに撓みにくくなる。
【００７９】
一方で、上記のようなバックプレート６１を設けると、その分だけ筐体２１が厚くなる。そこで本実施形態では、バックプレート６１の形状に対応した溝７２がカバー２９に設けられ、バックプレート６１は、カバー２９の溝７２に取り付けられる。このような構成によれば、バックプレート６１の厚みをカバー２９の厚みで吸収することができる。このため、筐体２１の薄型化を図ることができる。
【００８０】
なお、カバー２９に溝７２を設けても、バックプレート６１によってカバー２９が補強されるため、カバー２９の強度は実質的に低下しない。このため、カバー２９に溝７２を設けても、カバー２９の厚さを薄く維持することができる。
【００８１】
本実施形態では、バックプレート６１は、溝７２に取り付けられることで位置決めされる。このような構成によれば、バックプレート６１及びフレキシブルディスプレイ２２の位置決めが容易になり、組立性や保守性がさらに向上する。
【００８２】
本実施形態では、カバー２９は、バックプレート６１の開口領域６７に位置され、フレキシブルディスプレイ２２を支持した支持部７３を有する。このような構成によれば、バックプレート６１と筐体２１とによってフレキシブルディスプレイ２２を支持することができる。すなわち、フレキシブルディスプレイ２２の接触面積が増加し、フレキシブルディスプレイ２２の平面度がさらに向上する。
【００８３】
なお、図２７は、バックプレート６１の一つの変形例を示す。バックプレート６１は、フレーム部６２と、このフレーム部６２内にＸ字状に設けられた２つの梁部６３を有する。梁部６３は、フレキシブルディスプレイ２２の略中央部を支持する。このような構成のバックプレート６１でも、上記と同様の効果を得ることができる。なお、バックプレート６１の形状は、上述した形態に限定されるものではなく、種々の形状が適用可能である。
【００８４】
（第３の実施形態）  
次に、第３の実施形態に係る電子機器１について、図１８を参照して説明する。なお上記第１及び第２の実施形態の構成と同一または類似の機能を有する構成は、同一の符号を付してその説明を省略する。また、下記に説明する以外の構成は、上記第２の実施形態と同じである。
【００８５】
図１８に示すように、本実施形態では、フレキシブルディスプレイ２２とバックプレート６１との間に、遮光部材５５が設けられている。遮光部材５５は、フレキシブルディスプレイ２２の第２の面２２ｂに例えば両面テープや接着剤、またはその他の方法で取り付けられ、フレキシブルディスプレイ２２と一体になっている。
【００８６】
バックプレート６１は、遮光部材５５に取り付けられ、遮光部材５５を支持している。またバックプレート６１は、遮光部材５５を介してフレキシブルディスプレイ２２を支持している。本実施形態では、バックプレート６１が筐体２１に取り付けられることで、フレキシブルディスプレイ２２及び遮光部材５５が筐体２１に支持される。筐体２１の支持部７３は、バックプレート６１の開口領域６７に位置するとともに、遮光部材５５に当接し、遮光部材５５を介してフレキシブルディスプレイ２２を支持する。
【００８７】
このような構成によれば、上記第１の実施形態と同様に、薄型化を図るとともに、画面の見やすさの向上を図ることができる。さらに上記第２の実施形態と同様に、電子機器１の組立性及び保守性の向上、フレキシブルディスプレイ２２の平面度の向上、並びに筐体２１の薄型化及び軽量化を図ることができる。
【００８８】
（第４の実施形態）  
次に、第４の実施形態に係る電子機器１について、図１９を参照して説明する。なお上記第１乃至第３の実施形態の構成と同一または類似の機能を有する構成は、同一の符号を付してその説明を省略する。また、下記に説明する以外の構成は、上記第３の実施形態と同じである。
【００８９】
図１９に示すように、本実施形態では、バックプレート６１と筐体２１の背壁２４との間に、遮光部材５５が設けられている。本実施形態の背壁２４は、段差構造７１が設けられておらず、平面状に形成されている。本実施形態では、溝７２及び支持部７３を含む段差構造７１が遮光部材５５に設けられている。
【００９０】
バックプレート６１は、上記第２の実施形態と同様に、フレキシブルディスプレイ２２に取り付けられる。遮光部材５５は、筐体２１の背壁２４に取り付けられる。バックプレート６１は、遮光部材５５の溝７２に取り付けられる。遮光部材５５の支持部７３は、バックプレート６１の開口領域６７に位置するとともに、フレキシブルディスプレイ２２に当接し、フレキシブルディスプレイ２２を支持する。
【００９１】
このような構成によれば、上記第１の実施形態と同様に、薄型化を図るとともに、画面の見やすさの向上を図ることができる。さらに上記第２の実施形態と同様に、電子機器１の組立性及び保守性の向上、フレキシブルディスプレイ２２の平面度の向上、並びに筐体２１の薄型化及び軽量化を図ることができる。
【００９２】
（第５の実施形態）  
次に、第５の実施形態に係る電子機器１について、図２０を参照して説明する。なお上記第１乃至第４の実施形態の構成と同一または類似の機能を有する構成は、同一の符号を付してその説明を省略する。また、下記に説明する以外の構成は、上記第３の実施形態と同じである。
【００９３】
本実施形態に係るバックプレート６１は、遮光性を有する材料で形成され、遮光機能を有し、遮光部材の一つとなる。そのため本実施形態では、遮光部材５５は、バックプレート６１を外れた領域にだけ設けられている。すなわち、遮光部材５５は、バックプレート６１の開口領域６７に対応して設けられ、開口領域６７に位置されている。遮光部材５５は、筐体２１の背壁２４またはフレキシブルディスプレイ２２に取り付けられる。
【００９４】
このような構成によれば、上記第１の実施形態と同様に、薄型化を図るとともに、画面の見やすさの向上を図ることができる。さらに上記第２の実施形態と同様に、電子機器１の組立性及び保守性の向上、フレキシブルディスプレイ２２の平面度の向上、並びに筐体２１の薄型化及び軽量化を図ることができる。
【００９５】
（第６の実施形態）  
次に、第６の実施形態に係る電子機器１について、図２１乃至図２３を参照して説明する。なお上記第１乃至第５の実施形態の構成と同一または類似の機能を有する構成は、同一の符号を付してその説明を省略する。また、下記に説明する以外の構成は、上記第１の実施形態と同じである。
【００９６】
図２１に示すように、本実施形態に係る電子機器１は、例えばタブレット端末である。図２２に示すように、電子機器１は、フレキシブルディスプレイ２２に重ねられたタッチセンサー９１を有する。タッチセンサー９１は、指などで表面をタッチすることで、例えば表示画面２７に表示された項目をユーザーに選択させるユーザーインターフェイスである。
【００９７】
図２２に示すように、タッチセンサー９１は、センサー本体であるフィルムセンサー９２、回路基板９３、スペーサ９４、及び固定枠９５を有する。フィルムセンサー９２は、例えば矩形状のビニールフィルムにマトリックス状のＸＹパターンが形成され、各パターンの端部がフィルム端辺まで引き出されている。フィルムセンサー９２の一例は、ピエゾフィルムセンサーである。
【００９８】
回路基板９３及びスペーサ９４は、フィルムセンサー９２と固定枠９５との間に位置されている。回路基板９３は、フィルムセンサー９２の隣り合う１組の長辺及び短辺に沿うＬ字形に形成されている。スペーサ９４は、回路基板９３が対向しないフィルムセンサー９２の残りの２辺に沿うＬ字形に形成されている。回路基板９３及びスペーサ９４、例えばフレキシブルディスプレイ２２よりも強度及び剛性が大きい。回路基板９３は、例えばガラスエポキシで形成されている。このため、タッチセンサー９１は、フレキシブルディスプレイ２２よりも強度及び剛性が大きい。
【００９９】
図２３に示すように、タッチセンサー９１は、フレキシブルディスプレイ２２に重ねられている。タッチセンサー９１は、例えば両面テープ、接着剤、またはその他の方法でフレキシブルディスプレイ２２に固定されており、タッチパネルとして一体になっている。
【０１００】
比較的強度及び剛性があるタッチセンサー９１は、フレキシブルディスプレイ２２に取り付けられ、フレキシブルディスプレイ２２を補強している。本実施形態では、タッチセンサー９１は、「補強部材」の一例である。本実施形態では、バックプレート６１は省略可能である。
【０１０１】
このような構成によれば、上記第１の実施形態と同様に、薄型化を図ることができる。また本実施形態の構成によれば、フレキシブルディスプレイ２２にタッチセンサー９１が取り付けられ、フレキシブルディスプレイ２２が撓みにくくなっている。このため、上記第２の実施形態と同様に、電子機器１の組立性及び保守性の向上、及びフレキシブルディスプレイ２２の平面度の向上を図ることができる。
【０１０２】
本実施形態によれば、タッチセンサー９１によりフレキシブルディスプレイ２２が補強されているので、例えばバックプレート６１が省略可能になる。このため、電子機器１の薄型化、軽量化及び低コスト化を図ることができる。
【０１０３】
なおタッチセンサー９１は、上記構成に代えて、ガラス基板を含むセンサーを備えてもよい。ガラス基板を含むセンサーは、強度及び剛性が大きく、フレキシブルディスプレイ２２をさらに強固に補強することができる。
【０１０４】
（第７の実施形態）  
次に、第７の実施形態に係る電子機器１について、図２４乃至図２７を参照して説明する。なお上記第１乃至第６の実施形態の構成と同一または類似の機能を有する構成は、同一の符号を付してその説明を省略する。また、下記に説明する以外の構成は、上記第１の実施形態と同じである。
【０１０５】
図２４乃至図２６に示すように、本実施形態に係る電子機器１は、例えばノートブック型ポータブルコンピュータ（ノートＰＣ）であり、例えば縦にして本のように左右に開いて使用することもできる。電子機器１は、第１のユニット２と、第２のユニット３と、ヒンジ部４ａ，４ｂとを有する。第１のユニット２は、第１の表示部１０１を有する。第２のユニット３は、第２の表示部１０２を有する。
【０１０６】
本実施形態では、一つのフレキシブルディスプレイ２２が、第１のユニット２と第２のユニット３とに亘って設けられている。すなわち、フレキシブルディスプレイ２２は、第１のユニット２に位置された第１の部分１０３と、第２のユニット３に位置された第２の部分１０４とを有する。第１の部分１０３は、第１の表示部１０１を構成する。第２の部分１０４は、第２の表示部１０２を構成する。
【０１０７】
フレキシブルディスプレイ２２は、電子機器１の展開／折り畳みに合わせて、ヒンジ部４ａ，４ｂを中心として第１の部分１０３と第２の部分１０４とが折り畳まれて互いに重なる第１の位置と、第１の部分１０３と第２の部分１０４とが開かれる第２の位置との間で変形可能である。
【０１０８】
図２７に示すように、第１の部分１０３と第２の部分１０４との間には、伸ばされたり、折り曲げられたりする部分１０５（以下、折曲部１０５）が設けられている。電子機器１は、折曲部１０５を外側から支持する受け部１０６を有する。受け部１０６は、折曲部１０５に当接し、折曲部１０５が必要以上の鋭角で折れ曲がらないように、折曲部１０５を受ける。これにより、折曲部１０５は、一定の曲率を維持することができる。
【０１０９】
このような構成によれば、上記第１の実施形態と同様に、薄型化を図ることができる。また本実施形態の構成によれば、第１及び第２のユニット２，３に亘るひと繋がりの大きな表示画面２７を備えた電子機器を提供することができる。すなわち、第１及び第２のユニット２，３の間に表示画面２７の切れ目がない。このため、画像の表示態様の自由度が大きく、また大きな画像も表示可能になるため、見やすくなる。
【０１１０】
（第８の実施形態）  
次に、第８の実施形態に係る電子機器１について、図２８を参照して説明する。なお上記第１乃至第７の実施形態の構成と同一または類似の機能を有する構成は、同一の符号を付してその説明を省略する。また、下記に説明する以外の構成は、上記第１の実施形態と同じである。
【０１１１】
本実施形態に係る電子機器１は、上記第７の実施形態と同様に、例えばノートブック型ポータブルコンピュータ（ノートＰＣ）であり、例えば縦にして本のように左右に開いて使用することもできる。
【０１１２】
本実施形態に係る電子機器１は、第１及び第２のユニット２，３に、それぞれフレキシブルディスプレイ２２を備えている。すなわち、第１のユニット２は、第１の筐体６に収容された第１のフレキシブルディスプレイ２２を有する。第２のユニット３は、第２の筐体２１に収容された第２のフレキシブルディスプレイ２２を有する。第１のフレキシブルディスプレイ２２は、第１の表示部１０１を構成する。第２のフレキシブルディスプレイ２２は、第２の表示部１０２を構成する。
【０１１３】
このような構成によれば、上記第１の実施形態と同様に、薄型化を図ることができる。また本実施形態の構成によれば、上記第７の実施形態と異なり、フレキシブルディスプレイ２２の鋭角で折れ曲がる部分（折曲部１０５）の保護を考慮しなくて済む。このため、電子機器１のさらなる薄型化や軽量化、低コスト化を図ることができる。
【０１１４】
（第９の実施形態）  
次に、第９の実施形態に係る電子機器１について、図２９及び図３０を参照して説明する。なお上記第１乃至第８の実施形態の構成と同一または類似の機能を有する構成は、同一の符号を付してその説明を省略する。また、下記に説明する以外の構成は、上記第１の実施形態と同じである。
【０１１５】
図２９に示すように、本実施形態では、筐体２１の背壁２４は、該背壁２４の中央部に設けられた平面部１１１と、該背壁２４の端部に設けられ、平面部１１１から円弧状に湾曲した曲面部１１２とを有する。フレキシブルディスプレイ２２は、平面部１１１から曲面部１１２に亘って設けられている。
【０１１６】
図３０に示すように、背壁２４は、フレキシブルディスプレイ２２が取り付けられる部分に、支持部１１３（台座部）を有する。支持部１１３は、平面部１１１から曲面部１１２に亘って設けられている。支持部１１３は、例えば筐体２１の内面に設けられた複数のリブ１１４で形成されている。リブ１１４は、例えばハニカムリブである。
【０１１７】
リブ１１４の先端は、略同じ高さに揃っており、筐体２１内に支持面１１３ａを形成している。なお、支持面１１３ａとは、リブ１１４の先端を結んだ仮想的な面のことである。フレキシブルディスプレイ２２は、支持面１１３ａに取り付けられ、平面状に支持される。すなわち、フレキシブルディスプレイ２２は、リブ１１４の先端部によって平面状に支持される。
【０１１８】
このような構成によれば、上記第１の実施形態と同様に、薄型化を図ることができる。また本実施形態の構成によれば、筐体２１に曲面部１１２が設けられた電子機器１において、フレキシブルディスプレイ２２の平面度を向上させることができる。
【０１１９】
（第１０の実施形態）  
次に、第１０の実施形態に係る電子機器１について、図３１を参照して説明する。なお上記第１乃至第９の実施形態の構成と同一または類似の機能を有する構成は、同一の符号を付してその説明を省略する。また、下記に説明する以外の構成は、上記第１の実施形態と同じである。
【０１２０】
図３１に示すように、筐体２１は、平面部１１１と、曲面部１１２とを有する。フレキシブルディスプレイ２２は、平面部１１１と曲面部１１２とに亘って設けられている。フレキシブルディスプレイ２２は、平面部１１１に設けられた第１の部分１２１（第１の領域）と、曲面部１１２に設けられた第２の部分１２２（第２の領域）とを有する。第１の部分１２１は、筐体２１の平面部１１１に沿って平面状に形成された平面部である。第２の部分１２２は、筐体２１の曲面部１１２に沿って円弧状に湾曲した曲面部である。
【０１２１】
本実施形態では、第１の部分１２１と、第２の部分１２２とで異なる処理が成された画像が表示される。第１の部分１２１は、通常の処理が成された第１の画像が表示される。なお「通常の処理」とは、例えば従来の表示装置と同じ処理である。第１の画像は、この第１の部分１２１に略直交する方向（図３１中、矢印Ａの方向）から見たときに歪みがない画像である。
【０１２２】
第２の部分１２２は、予め補正処理された第２の画像が表示される。第２の画像は、この第２の部分１２２とは交差する方向（図３１中、矢印Ａの方向）から見たときに歪みがない画像となるように、予め逆方向に歪ませた画像である。このため、図３１中の矢印Ａ方向から見たとき、第１の画像と第２の画像は違和感なく連続する。なお、第１の画像及び第２の画像の処理を行うのは、例えばメインボードである回路基板５である。回路基板５は、「制御部」の一例である。
【０１２３】
このような構成によれば、上記第１の実施形態と同様に、薄型化を図ることができる。また本実施形態の構成によれば、筐体２１に曲面部１１２が設けられた電子機器１において、フレキシブルディスプレイ２２の特性を活用して、大きな表示画面２７を提供することができる。なお、曲面部１１２は、「傾斜部」の一例である。筐体２１は、円弧状に曲がった曲面部１１２に代えて、直線状に傾斜した傾斜部を備えてもよい。フレキシブルディスプレイ２２は、筐体２１の平面部に対応した第１の部分１２１と、筐体２１の傾斜部に対応した第２の部分１２２とを有してもよい。
【０１２４】
（第１１の実施形態）  
次に、第１１の実施形態に係る電子機器１について、図３２を参照して説明する。なお上記第１乃至第１０の実施形態の構成と同一または類似の機能を有する構成は、同一の符号を付してその説明を省略する。また、下記に説明する以外の構成は、上記第１の実施形態と同じである。
【０１２５】
本実施形態に係る電子機器１は、例えばテレビジョン受像機１３１である。テレビジョン受像機１３１は、上記第１乃至第１０の実施形態に係る構造のいずれか一つが適宜設けられる。このようなテレビジョン受像機１３１によれば、上記第１乃至第１０の実施形態と同様の効果を得ることができる。
【０１２６】
上記第１乃至第１１の実施形態によれば、フレキシブルディスプレイ（フレキシブルパネル）の実装構造の好適化を図ることができる。
【０１２７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【０１２８】
なお、本明細書でいう「フレキシブルディスプレイ」（または「フレキシブルパネル」）は、液晶を用いたものに限定されず、例えば有機ＥＬ(Electroluminescence)やその他の方式を用いたものも含む。なお、フレキシブルディスプレイ２２は、プラスチック基板を２枚設けたものに限られない。例えば有機ＥＬディスプレイの場合、フレキシブルディスプレイ２２は、１枚のプラスチック基板と、封止フィルムと、これらの間に位置された有機ＥＬ素子などで構成されてもよい。
【０１２９】
ＴＦＴ４５の材料は、酸化物半導体に限定されるものではなく、低温ポリシリコンやアモルファスシリコン、有機半導体、またはその他の材料でもよい。また第１及び第２のフレキシブル基板は、プラスチック基板に限定されるものではなく、他の材料で形成されてもよい。上記第１乃至第１１の実施形態の構造は、それぞれ、例えばテレビジョン受像機や、タブレット端末、携帯電話、スマートフォンなどを含む種々の電子機器に広く適用可能である。
以下に、いくつかのテレビジョン受像機及び電子機器を付記する。
[１]、(i)開口部が設けられた第１の壁と、この第１の壁とは反対側に位置された第２の壁とを有した筐体と、(ii)第１のプラスチック基板と、駆動素子として酸化物半導体薄膜トランジスタが設けられた第２のプラスチック基板と、前記第１のプラスチック基板と前記第２のプラスチック基板との間に位置された液晶層と、前記第１のプラスチック基板と前記第２のプラスチック基板との間に位置されたスペーサとを有し、前記第１の壁と前記第２の壁との間に位置されたフレキシブルパネルと、(iii)導光板と、この導光板に重ねられ、光が拡散する部材とを有し、前記フレキシブルパネルと前記第２の壁との間に位置されたフレキシブルバックライトと、(iv)前記フレキシブルバックライトと前記第２の壁との間に位置された遮光部材と、(v)前記遮光部材と前記第２の壁との間に位置され、前記フレキシブルパネル及び前記フレキシブルバックライトを支持した補強部材と、を具備したテレビジョン受像機。
[２]、[１]の記載において、前記フレキシブルパネル、前記フレキシブルバックライト、及び前記遮光部材は、前記補強部材に支持され、前記補強部材が前記筐体に取り付けられることで前記筐体に支持されたテレビジョン受像機。
[３]、[１]または[２]の記載において、前記補強部材は、フレーム部と、このフレーム部の間に延びた梁部とを有し、前記フレーム部と前記梁部との間に開口部が設けられたテレビジョン受像機。
[４]、[３]の記載において、前記梁部は、前記フレキシブルパネルの中央部を支持したテレビジョン受像機。
[５]、[３]または[４]の記載において、前記第２の壁は、前記フレーム部及び前記梁部に対応した溝が設けられ、前記補強部材は、前記溝に取り付けられたテレビジョン受像機。
[６]、[５]の記載において、前記溝の深さは、前記補強部材の厚さと略同じであり、前記補強部材は、前記溝に収容されたテレビジョン受像機。
[７]、[５]または[６]の記載において、前記補強部材は、前記溝に取り付けられることで位置決めされたテレビジョン受像機。
[８]、[３]または[７]の記載において、前記フレキシブルパネルは、前記フレーム部または前記梁部に支持された第１の領域と、前記フレーム部及び前記梁部を外れた第２の領域とを有し、前記第２の壁は、前記補強部材の開口部に位置され、前記フレキシブルパネルの第２の領域を支持した支持部を有したテレビジョン受像機。
[９]、(i)開口部が設けられた第１の壁と、この第１の壁とは反対側に位置されて外部からの光の透過を抑制可能な第２の壁とを有した筐体と、(ii)樹脂材料を含み、第１のフレキシブル基板と、第２のフレキシブル基板と、前記第１のフレキシブル基板と前記第２のフレキシブル基板との間に位置された液晶層とを有し、前記第１の壁と前記第２の壁との間に位置されたパネル部と、(iii)前記パネル部と前記第２の壁との間に位置された導光板と、(iv)前記パネル部と前記導光板との間に位置され、光が拡散する部材と、(v)前記導光板と前記第２の壁との間に位置された補強部材と、を具備した電子機器。
[１０]、(i)遮光機能を有し、開口部が設けられた筐体と、(ii)前記筐体に収容され、前記開口部から露出された表示画面を有し、第１のフレキシブル基板と、第２のフレキシブル基板と、前記第１のフレキシブル基板と前記第２のフレキシブル基板との間に位置された液晶層とを含む表示部と、(iii)前記表示部に重ねられ、光を拡散させる部材と、(iv)前記光を拡散させる部材に重ねられた導光部と、を具備した電子機器。
【符号の説明】
【０１３０】
１…電子機器、２１…筐体、２２…フレキシブルディスプレイ、２３…前壁（第１の壁）、２４…背壁（第２の壁）、２６…開口部、３１…フレキシブルパネル、３２…フレキシブルバックライト、３４…第１のプラスチック基板、３５…液晶層、３６…第２のプラスチック基板、４５…ＴＦＴ、４８…スペーサ、５１…拡散板、５２…導光板、５５…遮光部材、６１…バックプレート、６２…フレーム部、６３…梁部、６８…開口部、７２…溝、７３…支持部、８１…第１の領域、８２…第２の領域。
【図１】
0005121962.tif 000002
【図２】
0005121962.tif 000003
【図３】
0005121962.tif 000004
【図４】
0005121962.tif 000005
【図５】
0005121962.tif 000006
【図６】
0005121962.tif 000007
【図７】
0005121962.tif 000008
【図８】
0005121962.tif 000009
【図９】
0005121962.tif 000010
【図１０】
0005121962.tif 000011
【図１１】
0005121962.tif 000012
【図１２】
0005121962.tif 000013
【図１３】
0005121962.tif 000014
【図１４】
0005121962.tif 000015
【図１５】
0005121962.tif 000016
【図１６】
0005121962.tif 000017
【図１７】
0005121962.tif 000018
【図１８】
0005121962.tif 000019
【図１９】
0005121962.tif 000020
【図２０】
0005121962.tif 000021
【図２１】
0005121962.tif 000022
【図２２】
0005121962.tif 000023
【図２３】
0005121962.tif 000024
【図２４】
0005121962.tif 000025
【図２５】
0005121962.tif 000026
【図２６】
0005121962.tif 000027
【図２７】
0005121962.tif 000028
【図２８】
0005121962.tif 000029
【図２９】
0005121962.tif 000030
【図３０】
0005121962.tif 000031
【図３１】
0005121962.tif 000032
【図３２】
0005121962.tif 000033